(57)【要約】【課題】本発明の目的は、コンテンツの表示領域上の複数の指示体を利用した四つのジェスチャーをリサイズ要求と判定する判定手段を提供することができる装置を提供することにある。【解決手段】コンテンツの表示領域上の複数の指示体を利用した四つのジェスチャーをリサイズ要求と判定する内の、ジェスチャーの内の二つを縮小要求と判定し、残り二つを拡大要求と判定する判定手段を備えることを特徴とする。【選択図】図１
2018049606.tif 000002
【特許請求の範囲】
【請求項１】
コンテンツの表示領域上の複数の指示体を利用した四つのジェスチャーをリサイズ要求と判定する内の、前記ジェスチャーの内の二つを縮小要求と判定し、残り二つを拡大要求と判定する判定手段を備えることを特徴とする装置。
【請求項２】
コンピュータを、
コンテンツの表示領域上の複数の指示体を利用した四つのジェスチャーをリサイズ要求と判定させる内の、前記ジェスチャーの内の二つを縮小要求と判定させ、残り二つを拡大要求と判定させる判定手段として機能させるための制御プログラム。
【発明の詳細な説明】
【技術分野】
【０００１】
本発明は、リサイズ要求判定装置に関する。
【背景技術】
【０００２】
従来、リサイズ要求判定方法が知られる。例えば、特開２０１２−１２３０６６号公報に記載の技術は、利用者の２つの指を利用するピンチアウトおよびピンチインの操作に応じて、コンテンツなどの拡大要求および縮小要求を判定する技術が開示されている。
【先行技術文献】
【特許文献】
【０００３】
【特許文献１】特開２０１２−１２３０６６号公報
【発明の概要】
【発明が解決しようとする課題】
【０００４】
ところで、コンテンツの表示領域上の複数の指示体を利用した四つのジェスチャーをリサイズ要求と判定する判定手段を提供することができないと言った問題があった。
【０００５】
そこで、本発明の目的は、コンテンツの表示領域上の複数の指示体を利用した四つのジェスチャーをリサイズ要求と判定する判定手段を提供することができる装置および制御プログラムを提供することにある。
【課題を解決するための手段】
【０００６】
上記課題を解決するため本発明の装置は、コンテンツの表示領域上の複数の指示体を利用した四つのジェスチャーをリサイズ要求と判定する内の、前記ジェスチャーの内の二つを縮小要求と判定し、残り二つを拡大要求と判定する判定手段を備えることを特徴とする。
【発明の効果】
【０００７】
本発明によれば、装置および制御プログラムは、コンテンツの表示領域上の複数の指示体を利用した四つのジェスチャーをリサイズ要求と判定する判定手段を提供することができる。
【図面の簡単な説明】
【０００８】
【図１】実施形態のリサイズ要求判定システムの構成図の一例である。
【発明を実施するための形態】
【０００９】
以下、本発明の一実施の形態について詳細に説明する。
【００１０】
図１は実施形態のリサイズ要求判定システムの構成図の一例である。
リサイズ要求判定システムは、例えば、コンテンツ１０を表示するディスプレイ１１と、ディスプレイ１１上に設置されたタッチパネル１２を備える装置１から構成される。
装置１は、ＣＰＵ、ＲＯＭ、ＲＡＭ、記憶装置、入出力部（ディスプレイ１１およびタッチパネル１２を含む）、通信部などを有するコンピュータ部を備え、タッチパネル１２上の任意の位置に利用者の２つの指１３ａが置かれ、指１３ａの一方が固定され、他方がタッチパネル１２上で円を描いた第１操作方法に応じて、リサイズ要求と判定する。また、タッチパネル１２上の任意の位置に利用者の２つの指１３ｂが並んで置かれ、指１３ｂの両方がタッチパネル１２上で円を描いた第２操作方法に応じて、リサイズ要求と判定する。また、タッチパネル１２上に置かれた利用者の２つの指によるピンチアウト（拡大要求）およびピンチイン（縮小要求）の第３操作方法に応じて、リサイズ要求と判定する。また、リサイズ要求に応じて、コンテンツ１０の拡大または縮小を実施する。
【００１１】
リサイズ要求は、指１３ａ、１３ｂが描いた円の回転方向により、右回転であれば拡大要求、左回転であれば縮小要求などと定めればよい。
指１３ａは、左手の親指と右手の人差し指の組合せとしたが、片方の手の親指と人差し指の組合せなどのように、いかなる２つの指の組合せであってもよい。
指１３ｂは、右手の人差し指と中指の組合せとしたが、いかなる２つの指の組合せであってもよい。
コンテンツ１０上のリサイズの中心点は、指１３ａで描いた円の中心または円の開始位置や終了位置、或いは固定された側の指１３ａの位置などとすればよい。また、指１３ｂで描いた円の開始位置や終了位置の２つの指１３ｂの中間点などとすればよい。
【００１２】
上記実施形態において、リサイズ要求判定システムは、円の大きさ、或いは円を描く速度に応じて、リサイズ率が変化する構成としてもよい。また、モード切替えなどの操作を必要とせずに第１操作方法〜第３操作方法を併用することが可能である。また、利用者の指以外の指示体を利用してもよい。
装置１は、第１操作方法〜第３操作方法により、リサイズ要求を判定していたが、例えば、映写スクリーン上にコンテンツ１０を投影し、映写スクリーン上を移動する利用者の２つの指の動き、或いは映写スクリーン上を移動する２つのレーザーポインタの動きなどをカメラで捉え、リサイズ要求を判定する構成などとしてもよい。
【００１３】
上記実施形態によれば、リサイズ要求判定システムは、指（指示体）の回転を含む少なくとも１つの操作方法を利用し、２つの指（指示体）による少なくとも２つの操作方法が併用可能である拡大要求と、２つの指（指示体）による少なくとも２つの操作方法が併用可能である縮小要求を判定することができる。延いては、ピンチアウトおよびピンチインの操作と、それら以外の操作を併用することができる。
【００１４】
以上の説明においては、通信制御プログラムを含む各種制御プログラムが、予めＲＯＭに格納されている場合について説明したが、制御プログラムを、コンピュータ部で読取可能な記憶媒体に記録するようにしてもよい。このような構成であれば、コンピュータ部によってプログラムが記憶媒体から読み取られ、読み取られたプログラムに従ってコンピュータ部が処理を実行すると、上記実施形態の装置１と同等の作用および効果が得られる。
【００１５】
ここで、記憶媒体とは、ＲＡＭ、ＲＯＭ等の半導体記憶媒体、ＦＤ、ＨＤＤ等の磁気記憶型記憶媒体、ＣＤ、ＤＶＤ、ＢＤ等の光学的読取方式記憶媒体、ＭＯ等の磁気記憶型／光学的読取方式記憶媒体であって、電子的、磁気的、光学的等の読み取り方法のいかんにかかわらず、コンピュータ部で読み取り可能な記憶媒体であれば、どのような記憶媒体であってもよい。
【００１６】
また、インターネット、ＬＡＮ等のネットワークシステムを介して制御プログラムをダウンロードし、インストールして実行するように構成することも可能である。
【符号の説明】
【００１７】
１…装置，１０…コンテンツ，１１…ディスプレイ，１２…タッチパネル，１３ａ：１３ｂ…指
【図１】
2018049606.tif 000003
【手続補正書】
【提出日】平成30年2月9日(2018.2.9)
【手続補正１】
【補正対象書類名】特許請求の範囲
【補正対象項目名】全文
【補正方法】変更
【補正の内容】
【特許請求の範囲】
【請求項１】
ピンチイン、ピンチアウトおよびコンテンツのリサイズ中心点を二つの指の間に設けた二つのマルチタッチ操作を含む四つのリサイズ要求操作を、前記コンテンツのリサイズ要求と判定する判定手段を備えることを特徴とする装置。
【請求項２】
コンピュータを、
請求項１に記載の判定手段として機能させるための制御プログラム。
【手続補正２】
【補正対象書類名】明細書
【補正対象項目名】０００６
【補正方法】変更
【補正の内容】
【０００６】
上記課題を解決するため本発明の装置は、ピンチイン、ピンチアウトおよびコンテンツのリサイズ中心点を二つの指の間に設けた二つのマルチタッチ操作を含む四つのリサイズ要求操作を、前記コンテンツのリサイズ要求と判定する判定手段を備えることを特徴とする。
【手続補正３】
【補正対象書類名】明細書
【補正対象項目名】０００４
【補正方法】変更
【補正の内容】
【０００４】
ところで、従来のリサイズ要求判定方法は、コンテンツのリサイズ中心点を二つの指の間に設けた四つのリサイズ要求操作を提供することができないと言った問題があった。
【手続補正４】
【補正対象書類名】明細書
【補正対象項目名】０００５
【補正方法】変更
【補正の内容】
【０００５】
そこで、本発明の目的は、コンテンツのリサイズ中心点を二つの指の間に設けた四つのリサイズ要求操作を提供することができる装置および制御プログラムを提供することにある。
【手続補正５】
【補正対象書類名】明細書
【補正対象項目名】０００７
【補正方法】変更
【補正の内容】
【０００７】
本発明によれば、装置および制御プログラムは、コンテンツのリサイズ中心点を二つの指の間に設けた四つのリサイズ要求操作を提供することができる。
【手続補正書】
【提出日】平成30年2月15日(2018.2.15)
【手続補正１】
【補正対象書類名】明細書
【補正対象項目名】０００４
【補正方法】変更
【補正の内容】
【０００４】
ところで、従来のリサイズ要求判定方法は、コンテンツのリサイズ中心点を二つの指の間に設けた四つのリサイズ要求操作を一括して提供することができないと言った問題があった。
【手続補正２】
【補正対象書類名】明細書
【補正対象項目名】０００５
【補正方法】変更
【補正の内容】
【０００５】
そこで、本発明の目的は、コンテンツのリサイズ中心点を二つの指の間に設けた四つのリサイズ要求操作を一括して提供することができる装置および制御プログラムを提供することにある。
【手続補正３】
【補正対象書類名】明細書
【補正対象項目名】０００７
【補正方法】変更
【補正の内容】
【０００７】
本発明によれば、装置および制御プログラムは、コンテンツのリサイズ中心点を二つの指の間に設けた四つのリサイズ要求操作を一括して提供することができる。